(57)【要約】  水処理システムは、フィルターモジュール（１２）と該フィルターモジュール（１２）に固定された逆浸透モジュール（１４）をと含む。フィルターモジュール（１２）は２つのフィルターカートリッジ（１８、２４）を含む。部品のモジュール構成によって、フィルターモジュール（１２）は、２つのフィルターカートリッジ（１８、２４）を別個のプレフィルターとポストフィルターとして接続した構成とすることも又は単一の２段フィルターとして直列に接続した構成とすることもできる。同様に、モジュール方式によって、多数の逆浸透モジュールをデイジーチェーン方式で接続して処理容量を増大させることもできる。新規ブラケット構造はフィルターモジュール（１２）のポートを逆浸透モジュール（１４）の対応ポートと整列させる。【選択図】  図１
2009525846.tif 000002
【特許請求の範囲】
【請求項１】
（ａ）第１のフィルターカートリッジと第２のフィルターとが取り付けられた第１のマニホールドを備えるフィルターモジュールであって、第１のマニホールドがフィルター入口ポートとフィルター出口ポートとを有していて、第１のフィルターカートリッジが第１の出口と上記フィルター入口ポートに接続された第１の入口とを有しており、第２のフィルターカートリッジが第２の入口と上記フィルター出口ポートに接続された第２の出口とを有している、フィルターモジュール、及び
（ｂ）上記フィルターモジュールに固定された逆浸透（ＲＯ）モジュールであって、第１のＲＯ入口ポートと第１のＲＯ出口ポートと第１の排水ポートとを有する第２のマニホールドを備えているとともに、第１のＲＯ入口ポートが上記フィルターモジュールに接続されていてそこから水を受水する逆浸透モジュール
を備える水処理システム。
【請求項２】
前記フィルターモジュールが、第１の出口と第１のＲＯ入口ポートとに接続された第１の中間ポート、及び第２の入口と第１のＲＯ出口ポートとに接続された第２の中間ポートをさらに備えている、請求項１記載の水処理システム。
【請求項３】
第１のフィルターカートリッジの第１の出口が第２のフィルターカートリッジの第２の入口に接続されており、前記フィルター出口ポートが第１のＲＯ入口ポートに接続されている、請求項１記載の水処理システム。
【請求項４】
第１の逆浸透モジュールが、第２のマニホールドに取り付けられた第１の逆浸透カートリッジと第２の逆浸透カートリッジとをさらに備えており、第１及び第２の逆浸透カートリッジが各々半透膜を有している、請求項１記載の水処理システム。
【請求項５】
第１の逆浸透モジュールが、第１のＲＯ入口ポートと流体連通した第２のＲＯ入口ポートと、第１のＲＯ出口ポートと流体連通した第２のＲＯ出口ポートとをさらに備えている、請求項１記載の水処理システム。
【請求項６】
第１の逆浸透モジュールの第２のＲＯ入口ポートに接続されたＲＯ入口ポートと、第１の逆浸透モジュールの第２のＲＯ出口ポートに接続されたＲＯ出口ポートとを有する第２の逆浸透モジュールをさらに備えている、請求項５記載の水処理システム。
【請求項７】
第２の逆浸透モジュールが、第１の排水ポートと、第１の逆浸透モジュールの第１の排水ポートに接続された第２の排水ポートとをさらに備えている、請求項６記載の水処理システム。
【請求項８】
第１の逆浸透モジュールに接続された第２の逆浸透モジュールであって第１の逆浸透モジュールから水を受けるＲＯ入口ポートを有する第２の逆浸透モジュールをさらに備えている、請求項１記載の水処理システム。
【請求項９】
前記フィルターモジュールが第１の取付ブラケットを有しており、第１の逆浸透モジュールが第１の取付ブラケットと当接する第２の取付ブラケットを有している、請求項１記載の水処理システム。
【請求項１０】
第１の取付ブラケットと第２の取付ブラケットの一方が第１のキーを有していて、他方が、前記フィルターモジュールと第１の逆浸透モジュールとが互いに適正な位置に配置されるように第１のキーを受容する開口を有している、請求項９記載の水処理システム。
【請求項１１】
第１の逆浸透モジュールに流体接続した第２の逆浸透モジュールをさらに備えており、第２の逆浸透モジュールが第２の取付ブラケットと当接する第３の取付ブラケットを有しており、第２の取付ブラケットと第３の取付ブラケットの一方が第２のキーを有していて、他方が、第１の逆浸透モジュールと第２の逆浸透モジュールとが互いに適正な位置に配置されるように第２のキーを受容する第２の開口を有している、請求項１０記載の水処理システム。
【請求項１２】
（ａ）入口ポートと出口ポートとを有する第１のマニホールドの上記入口ポートと出口ポートの間に、フィルター媒体を収容する第１のフィルターカートリッジを接続してなるフィルターモジュール、及び
（ｂ）上記フィルターモジュールに固定された第１の逆浸透モジュールであって、直接流体接続した第１のＲＯ入口ポートと第２のＲＯ入口ポート、直接流体接続した第１のＲＯ出口ポートと第２のＲＯ出口ポート、及び直接流体接続した第１の排水ポートと第２の排水ポートを有する第２のマニホールドを備えているとともに、第１のＲＯ入口ポートと第１のＲＯ出口ポートの間で第２のマニホールドに取り付けられた第１の逆浸透カートリッジを有している第１の逆浸透モジュール
を備える水処理システムであって、上記フィルターモジュールの出口ポートが第１の逆浸透モジュールの第１のＲＯ入口ポートと流体接続して整列している、水処理システム。
【請求項１３】
第１の逆浸透モジュールが、第２のマニホールドに取り付けられた第２の逆浸透カートリッジであって第１の逆浸透カートリッジと並列に流体接続した第２の逆浸透カートリッジをさらに備えている、請求項１２記載の水処理システム。
【請求項１４】
前記フィルターモジュールが、フィルター媒体を収容した第２のフィルターカートリッジであって前記入口ポートと出口ポートとの間で第１のフィルターカートリッジに直列に流体接続した第２のフィルターカートリッジをさらに備えている、請求項１２記載の水処理システム。
【請求項１５】
第１の逆浸透モジュールの第２のＲＯ入口ポートに接続されたＲＯ入口ポートと、第１の逆浸透モジュールの第２のＲＯ出口ポートに接続されたＲＯ出口ポートとを有する第２の逆浸透モジュールをさらに備えている、請求項１２記載の水処理システム。
【請求項１６】
前記フィルターモジュールが第１の取付ブラケットを有しており、第１の逆浸透モジュールが第１の取付ブラケットと接する第２の取付ブラケットを有しており、第１の取付ブラケットと第２の取付ブラケットの一方がキーを含み、他方が、前記フィルターモジュールと第１の逆浸透モジュールとが互いに適正な位置に配置されるように上記キーを受容する開口を有している、請求項１２記載の水処理システム。
【請求項１７】
（ａ）入口ポートと第１の中間ポートと第２の中間ポートと出口ポートとを有する第１のマニホールドの上記入口ポートと第１の中間ポートとの間で第１のフィルターカートリッジを流体接続するとともに、第１のマニホールドの第２の中間ポートと上記出口ポートとの間で第２のフィルターカートリッジを流体接続してなるフィルターモジュール、及び
（ｂ）上記フィルターモジュールに固定された第１の逆浸透モジュールであって、直接流体接続した第１のＲＯ入口ポートと第２のＲＯ入口ポート、直接流体接続した第１のＲＯ出口ポートと第２のＲＯ出口ポート、及び直接流体接続した第１の排水ポートと第２の排水ポートを有する第２のマニホールドを備えているとともに、第１のＲＯ入口ポートと第１のＲＯ出口ポートの間で第２のマニホールドに取り付けられ流体接続した第１の逆浸透カートリッジを有する第１の逆浸透モジュール
を備える水処理システムであって、上記フィルターモジュールの第１の中間ポートが第１の逆浸透モジュールの第１のＲＯ入口ポートと流体接続して整列し、第１の逆浸透モジュールの第１のＲＯ出口ポートが上記フィルターモジュールの第２の中間ポートと流体接続して整列している、水処理システム。
【請求項１８】
第１の逆浸透モジュールが、第２のマニホールドに取り付けられた第２の逆浸透カートリッジであって第１の逆浸透カートリッジと並列に流体接続した第２の逆浸透カートリッジをさらに備えている、請求項１７記載の水処理システム。
【請求項１９】
第１の逆浸透モジュールの第２のＲＯ入口ポートに接続されたＲＯ入口ポートと、第１の逆浸透モジュールの第２のＲＯ出口ポートに接続されたＲＯ出口ポートとを有する第２の逆浸透モジュールをさらに備えている、請求項１７記載の水処理システム。
【請求項２０】
第１及び第２の逆浸透モジュールが各々第１の排水ポートと第２の排水ポートとをさらに有していて、第１の逆浸透モジュールの第１の排水ポートが第２の逆浸透モジュールの第２の排水ポートに接続されている、請求項１９記載の水処理システム。
【請求項２１】
前記フィルターモジュールが第１の取付ブラケットを有しており、第１の逆浸透モジュールが第１の取付ブラケットに接する第２の取付ブラケットを有しており、第１の取付ブラケットと第２の取付ブラケットの一方がキーを有していて、他方が、前記フィルターモジュールと第１の逆浸透モジュールとが互いに適正な位置に配置されるように上記キーを受容する開口を有している、請求項１７記載の水処理システム。
【発明の詳細な説明】
【技術分野】
【０００１】
本発明は化学物質その他の不純物を除去する水処理用装置に関し、特に逆浸透水濾過システムに関する。
【背景技術】
【０００２】
逆浸透（ＲＯ）水処理システムは、台所の調理台や流しの下その他浄水の供給が望まれる場所の近傍に置かれることが多い。典型的なシステムは、従来のフィルター媒体を用いたプレフィルターを含んでおり、処理すべき水をすべて媒体に通過させて比較的大きな粒子を除去する。水はプレフィルターを出て逆浸透ユニットに入る。
【０００３】
逆浸透は、通常の浸透圧よりも高い圧力で膜に溶媒（水など）を流すことによって溶液から溶質を分離する方法である。浸透現象は、半透膜を通して高浸透圧領域から低浸透圧領域へと溶媒が拡散する現象として現れる。溶媒が膜を通して拡散すると、塩、無機物その他の夾雑物のような溶質が残り、低浸透圧領域では溶質の濃度が下がる。残留溶質は、ユニット内で圧力上昇を生じさせる絞り排水開口を通して膜の高圧側から流し出される。排水開口からの流体は下水道に送ってもよいし、水を無駄にしないようにポンプで水処理システムに再循環してもよい。
【０００４】
逆浸透ユニットを出る処理水は、適宜、水の味を向上させるためのポストフィルターに通してもよい。処理装置の出口に、浄水を貯蔵するのためのタンクを設けてもよい。必要なときにタンクから浄水が注がれる。
【特許文献１】米国特許第５９７２２１６号明細書
【発明の開示】
【発明が解決しようとする課題】
【０００５】
各施設での原水の特性に応じて、水を処理して所要の流量を得るため、数個のプレフィルターを使用してもよいし、様々な数の逆浸透ユニットを並列又は直列に接続してもよい。そこで、各施設で必要とされる処理レベルが得られるように様々な組合せ及び数で接続することができる、逆浸透水処理システムの部品を設計することが望ましい。
【課題を解決するための手段】
【０００６】
水処理システムは、フィルターモジュールと、該フィルターモジュールに固定された逆浸透モジュールとを備える。フィルターモジュールは、第１のフィルターカートリッジと第２のフィルターとが取り付けられた第１のマニホールドを有する。第１のマニホールドはフィルター入口ポートとフィルター出口ポートとを有する。第１のフィルターカートリッジは、フィルター入口ポートに接続された第１の入口を有するとともに、第１の出口を有する。第２のフィルターカートリッジは、第２の入口を有するとともに、フィルター出口ポートに接続された第２の出口を有する。
【０００７】
第１の逆浸透モジュールは上記フィルターモジュールに固定されており、第１のＲＯ入口ポートと第１のＲＯ出口ポートと第１の排水ポートとを有する第２のマニホールドを有する。第１のＲＯ入口ポートは上記フィルターモジュールに接続されていてそこから水を受水する。
【０００８】
水処理システムをモジュール方式とすることによって、フィルターモジュールを幾つかの異なる構成で第１の逆浸透モジュールに接続することができる。一つの形態では、フィルターモジュールは、第１の逆浸透モジュールに対するプレフィルターとして機能する第１のフィルターカートリッジと、ポストフィルターとして接続される第２のフィルターカートリッジとで構成される。別の形態では、２つのフィルターカートリッジを直列につないで２段プレフィルターとして機能させる。モジュール方式では、複数の逆浸透モジュールをデイジーチェーンで接続してシステムの水処理容量を増加させることも可能となる。
【発明を実施するための最良の形態】
【０００９】
まず図１を参照すると、第１の水処理システム１０は、フィルターモジュール１２と逆浸透（ＲＯ）モジュール１４とを備える。フィルターモジュール１２は、供給源からの原水をフィルター入口ポート１６で受水し、フィルター入口ポート１６はプレフィルターカートリッジ１８の第１の入口１７に接続されている。プレフィルターカートリッジ１８は、紡糸繊維素材の集合体のようなフィルター媒体を収容しており、フィルター媒体を通して水が流れ、比較的大きな粒子を捕捉する。プレフィルターカートリッジ１８の出力水は、第１の出口１９からフィルターモジュール１２の第１の中間ポート２０へと流れる。このフィルターモジュールは第２の中間ポート２２も有しており、水の味と臭いを向上させる活性炭等のフィルター媒体を収容したポストフィルターカートリッジ２４の第２の入口２３に接続されている。ポストフィルターカートリッジ２４の出力水は、第２の出口２５からフィルター出口ポート２６へと流れ、第１の水処理システム１０の場合には、エンドユーザーに浄水を供給する。
【００１０】
フィルターモジュール１２の第１の中間ポート２０は管３２で逆浸透モジュール１４の第１のＲＯ入口ポート３０に接続されていて、プレフィルターカートリッジ１８から水を受水する。逆浸透モジュール１４は、第１のＲＯ入口ポート３０に接続された入口を有する第１及び第２の逆浸透カートリッジ３４及び３６を備える。２つの逆浸透カートリッジは各々従来の半透膜を有していて膜を通過する水を濾過する。処理された水は、第１のＲＯ出口ポート４２に接続されたカートリッジ出口３８及び４０を通過する。第１のＲＯ出口ポート４２は管４３でフィルターモジュール１２の第２の中間ポート２２と連結されている。したがって、２つの逆浸透カートリッジ３４及び３６で処理された水はポストフィルターカートリッジ２４を通って戻り、フィルター出口ポート２６で浄水を生じる。逆浸透カートリッジ３４及び３６は各々排水出口３５も有しており、そこから高濃度の溶質を含有する未処理水の一部がカートリッジから排出される。排水出口３５は、逆浸透モジュール１４の第１及び第２の排水ポート４４に接続されている。
【００１１】
第１の水処理システム１０は図２に示すモジュール構成を有しており、フィルターモジュール１２と逆浸透モジュール１４とが互いに当接して取り付けられ流体接続される。フィルターモジュール１２の２つの円筒形フィルターカートリッジ１８及び２４は、フィルター入口ポート１６とフィルター出口ポート２６と第１及び第２の中間ポート２０及び２２とが設けられたフィルターマニホールド５０に装着される。フィルターマニホールド５０は、プレフィルターカートリッジ１８及びポストフィルターカートリッジ２４に所定のポートを連結する内部通路を有する。図３を参照すると、フィルター入口ポート１６は第１の入口通路５２と通じていて、マニホールドの底を貫通する開口５４へと導かれ、プレフィルターカートリッジ１８内部の外周部へとつながっている。フィルターマニホールド５０の底を貫通する第２の開口５６がプレフィルターカートリッジ１８の中央に設けられていて、第１の中間ポート２０とつながる第１の出口通路５８に位置している。
【００１２】
図３及び図４を参照すると、フィルター入口ポート１６からフィルターモジュール１２に流入する流体は、第１の開口５４からプレフィルターカートリッジ１８に流れ込んで、その中のフィルター媒体６５の周囲を流れる。プレフィルターカートリッジ１８内の水はフィルター媒体６５を通過してカートリッジの中央内腔６８へと流れ、上方に向かって第２の開口５６を通り、フィルターモジュール１２のフィルター入口ポート１６とは反対側の第１の中間ポート２０からフィルターモジュール１２を出る。
【００１３】
フィルターモジュール１２の反対側の第２の中間ポート２２は第２の入口通路６０と連通していてフィルターマニホールド５０の底部の第３の開口６２とつながっており、第３の開口６２はポストフィルターカートリッジ２４内部の外周部と通じている。水はポストフィルターカートリッジ２４内部のフィルター媒体６９を通過した後、フィルターマニホールド５０の底の中央に位置する第４の開口６４を通して流れる。この第４の開口６４は、マニホールド５０の第２の出口通路６６によってフィルター出口ポート２６と接続している。
【００１４】
図５は、逆浸透モジュール１４の一部である第２のマニホールド７２の内部通路を示している。第１のＲＯ入口ポート３０は内部ＲＯ入口通路８０と通じていて、第２のマニホールド７２の底を貫通する第１のＲＯ開口８２とつながっており、図２の第１の逆浸透カートリッジ３４へと通じる。ＲＯ入口通路８０は、第２のＲＯ開口８４を通して第２の逆浸透カートリッジ３６とも通じている。ＲＯ入口通路８０は、第２のマニホールド７２の第２のＲＯ入口ポート３１につながる。このように、第１及び第２のＲＯ開口８２及び８４は、逆浸透カートリッジ３４及び３６双方のＲＯ入口を与える。第１のＲＯ入口ポート３０と第２のＲＯ入口ポート３１とは直接流体接続しており、これは、本明細書ではこれらのポートがいかなる要素も介在せずに水路で互いに接続していることを意味する。これらの逆浸透カートリッジ３４の出口３８及び４０はそれぞれマニホールド７２の底部の第１及び第２のＲＯ出口開口８６及び９０と連通している。ＲＯ出口開口８６及び９０は、ＲＯ出口通路８８によって、第２のマニホールド７２の両側に設けられた第１のＲＯ出口ポート４２と第２のＲＯ出口ポート４１と接続している。排水通路９２は、第２のマニホールドの内部を蛇行経路状に曲がりくねっており、第１の排水ポート４４と第２の排水ポート４５とを直接流体接続する。排水開口９４及び９６の対は第２のマニホールドの底を貫通して排水通路９２と通じており、逆浸透カートリッジ３４及び３６双方の排水出口３５を形与える。
【００１５】
なお、逆浸透モジュール１４の両側に入口ポート、出口ポート及び排水ポートが存在するので、幾つかの逆浸透モジュールを並べて接続することができる。かかるデイジーチェーンによって、複数の逆浸透カートリッジを並列に接続して浄水能力を高めることができる。用途に応じて、使用しないポートは塞がれる。このポート配置によって、フィルターモジュール１２と逆浸透モジュール１４とのモジュール構成での接続も容易となる。
【００１６】
水処理システムの各モジュールは、図２に示すように、互いに連結して単一構造アセンブリとするためのブラケットを有する。具体的には、フィルターモジュール１２は、フィルターマニホールド５０の周囲にその四面から外側に突出した第１のブラケット７０を有する。逆浸透モジュール１４の第２のマニホールド７２も、その周囲にその四面から外側に突出した同様の第２のブラケット７４を含む。図３及び図５を参照すると、第１及び第２のブラケットアセンブリ７０及び７４は、片側に環状突起部の形態のキー７１を有しており、反対側にキーを受容する寸法の開口７３を有する。そこで、組立てた第１の水処理システム１０では、逆浸透モジュール１４のブラケットのキー７１がフィルターモジュール１２のブラケットの開口７３に嵌合して、これらのモジュールの適正な配置を確保する。１組のナットとボルト７６をブラケット突起部及び開口に通して、隣接モジュール同士を固定する。
【００１７】
２つのモジュール１２及び１４を互いに直接固定すると、フィルターモジュール１２の第１の中間ポート２０は逆浸透モジュール１４の第１のＲＯ入口ポート３０と整列する。本明細書で用いる「直接固定」という用語は、い、２つの部品を連結する１以上の介在要素に各部品を別個に取り付けるではなく、２つの部品（この場合には２つのモジュール１２及び１４）を一方が他方と接するように取り付けることをいう。こうした直接固定の結果として、直管３２をこれらのポートの各々に固定して２つのモジュール間の水路を形成する。逆浸透モジュール１４の第１のＲＯ出口ポート４２も、同様にフィルターモジュール１２の第２の中間ポート２２と整列し、別の直管４３でこれらのポート間の水路を形成する。当接するブラケット７０及び７４は、整列ポート間に一定の間隔を与えるので、２つの管３２及び４３を予め適切な長さにカットして設置者に供給することができる。２つのモジュール１２及び１４のポート１６、２０、２２、２６、３０、４２及び４４は各々好ましくは標準締付継手を利用する。
【００１８】
別のモジュール構成の例として第２の水処理システム１００を図６及び図７に示す。この例では、二重プレフィルターモジュール１０２が、タンデム接続した２つの逆浸透モジュール１３１及び１３２に連結されている。具体的には、この二重プレフィルターモジュール１０２は２つのフィルターカートリッジ１０５及び１０６を直列に有している。典型的には、第１のプレフィルターカートリッジ１０５は比較的大きな粒子を除去する媒体を有しており、第２のプレフィルターカートリッジ１０６の媒体は小さな粒子を除去する。
【００１９】
図８を参照すると、二重プレフィルターモジュール１０２のマニホールド１１２は、処理すべき原水を受水するフィルター入口ポート１０８を有する。入口通路１１４は、水をフィルター入口ポート１０８から第１の入口開口１１６へと送って第１のプレフィルターカートリッジ１０５の第１の入口１０１（図６）に運び、水はそこから第１の出口１０３を通って流出して第１の出口開口１１８からマニホールドに戻る。中間通路１２０は第１の出口開口１１８を第２の入口開口１２２に接続し、第２のプレフィルターカートリッジ１０６の第２の入口１０７とつながる。濾過された水は、第２の出口１０９から第２のプレフィルターカートリッジ１０６を出て、マニホールド内の第２の出口開口１２４を通って出口通路１２６を移動し、フィルター出口ポート１１０から二重プレフィルターモジュール１０２を出る。
【００２０】
再び図６及び図７を参照すると、二重プレフィルターモジュール１０２のフィルター出口ポート１１０は管１３８で第１の逆浸透モジュール１３１の第１のＲＯ入口ポート３０に接続される。逆浸透モジュール１３１及び１３２は共に、上記で説明した第１の水処理システム１０の逆浸透モジュール１４と同じ構成を有する。ただし、第２の水処理システム１００のモジュール構成では、第１の逆浸透モジュール１３１の第１及び第２の逆浸透カートリッジ１３４及び１３５、並びに第２の逆浸透モジュール１３２の第３及び第４の逆浸透モジュール１３６及び１３７はすべて並列に接続されている。
【００２１】
この並列接続に関して、第１の逆浸透モジュール１３１の第１のＲＯ入口ポート３０はＲＯ入口通路８０によって同モジュールの第２のＲＯ入口ポート３１と接続している。この第２のＲＯ入口ポート３１は管１４０によって第２の逆浸透モジュール１３２の第１のＲＯ入口ポート３０と連結している。同様に、第１の逆浸透モジュール１３１の第２のＲＯ出口ポート４１は第２の管１４２によって第２の逆浸透モジュール１３２の第１のＲＯ出口ポート４２と連結し、第１の逆浸透モジュールの第１の排水ポート４４は第３の管１４３によって第２の逆浸透モジュールの第２の排水ポート４５と連結している。第２の逆浸透モジュール１３２の第１の排水ポート４４は第２の水処理システム１００の排水通路に接続していて、第２の逆浸透モジュール１３２の第２のＲＯ出口ポート４１は浄水の出口を与える。
【００２２】
第１の逆浸透モジュール１３１と第２の逆浸透モジュール１３２はその他の構成でも接続できるる。例えば、第１の逆浸透モジュール１３１の第２のＲＯ出口ポート４１を第２の逆浸透モジュール１３２の第１のＲＯ入口ポート３０に連結して２つのモジュールが直列となるようにすることもできる。或いは、第１の逆浸透モジュールの第１の排水ポート４４を第２の逆浸透モジュール１３２の第１のＲＯ入口ポート３０に連結することもできる。この構成では、第１の逆浸透モジュール１３１の第２のＲＯ出口ポート４１は第２の逆浸透モジュール１３１の第１のＲＯ出口ポート４２に連結される。ここで、第２の逆浸透モジュール１３２は、第１のＲＯモジュールの排水の一部を処理して、排水系に流れる水を減らして水を節約する。
【００２３】
追加の逆浸透モジュールを取り付けることができる。本発明の水処理システムのモジュール構成は、様々な数のプレフィルターカートリッジ、ポストフィルターカートリッジ及び逆浸透カートリッジを互いに連結することができ、個々の施設の要件に応じた量の水処理量能力をもたらすことができる。
【００２４】
以上の説明は主に本発明の好ましい実施形態に関するものである。本発明の技術的範囲に属する様々な代替的形態についても触れたが、本発明の実施形態についての開示内容から自明なその他の代替的形態を当業者が実施できるであろうことは明らかである。したがって、本発明の技術的範囲は特許請求の範囲に基づいて定まり、以上の開示内容によって限定されるものではない。
【図面の簡単な説明】
【００２５】
【図１】プレフィルターとポストフィルターとを含むフィルターモジュールと逆浸透モジュールとを有する第１の水処理システムの概略ブロック図である。
【図２】第１の水処理システムの等角図である。
【図３】フィルターモジュール上部の第１のマニホールドの断面図である。
【図４】フィルターモジュールの縦方向断面図である。
【図５】逆浸透モジュール上部の第２のマニホールドの断面図である。
【図６】２段プレフィルターモジュール及び２つの逆浸透モジュールを有する第２の水処理システムの概略ブロック図である。
【図７】第２の水処理システムの等角図である。
【図８】２段プレフィルターモジュールのマニホールドの断面図である。
【図１】
2009525846.tif 000003
【図２】
2009525846.tif 000004
【図３】
2009525846.tif 000005
【図４】
2009525846.tif 000006
【図５】
2009525846.tif 000007
【図６】
2009525846.tif 000008
【図７】
2009525846.tif 000009
【図８】
2009525846.tif 000010
【国際調査報告】
2009525846.tif 000011
2009525846.tif 000012
2009525846.tif 000013